(57)【特許請求の範囲】
【請求項１】
酸化染毛剤の第２剤、毛髪脱色剤の第２剤、あるいはパーマネントウェーブ用剤の第２剤を収容する毛髪化粧料用容器であって、
複層構造の容器壁における任意の中間層部位に、エチレン含有量が３６モル％以下であるモノマー組成のＥＶＯＨ（エチレン・ビニルアルコール共重合体）を用いた１層又は２層以上の酸素バリア層を備えることを特徴とする毛髪化粧料用容器。
【請求項２】
前記ＥＶＯＨが、２０°Ｃにおける６０％の相対湿度での酸素透過係数が０．０１（ｃｃ・ｍｍ／ｍ２・ｄａｙ・ａｔｍ）以下であることを特徴とする請求項１に記載の毛髪化粧料用容器。
【請求項３】
前記複層構造の容器壁が、ポリオレフィン系樹脂，ポリアクリロニトリル系樹脂又はポリエステル系樹脂を用いた最内層を備えることを特徴とする請求項１又は請求項２に記載の毛髪化粧料用容器。
【請求項４】
前記複層構造の容器壁が、ポリオレフィン系樹脂，ポリアクリロニトリル系樹脂又はポリエステル系樹脂を用いた最外層を備えることを特徴とする請求項１〜請求項３のいずれかに記載の毛髪化粧料用容器。
【請求項５】
前記毛髪化粧料用容器がエアゾール容器の内袋であることを特徴とする請求項１〜請求項４のいずれかに記載の毛髪化粧料用容器。
【発明の詳細な説明】
【０００１】
【発明の属する技術分野】
本発明は毛髪化粧料用容器に関する。更に詳しくは、本発明は、容器壁の酸素バリア性を十分に確保することによって毛髪化粧料の保存安定性を高めた毛髪化粧料用容器に関する。
【０００２】
【従来の技術】
毛髪化粧料には酸化染料が含まれる場合があり、又、還元剤が含まれる場合もある。これらの酸化染料や還元剤が毛髪化粧料の流通・保存時において酸素と反応すると、変色又は劣化を起こすので、毛髪化粧料用容器には空気中の酸素を透過させない酸素バリア性が要求される。一方、毛髪化粧料には過酸化水素等の酸化剤が含まれる場合もある。毛髪化粧料の流通・保存時においてこのような酸化剤が容器外へ透過・揮散すると、その毛髪化粧料の酸化作用が低減して、本来の目的を果たせなくなる。
【０００３】
【発明が解決しようとする課題】
従って、上記のように酸素バリア性を必要とする特定の毛髪化粧料の容器について、空気中の酸素や過酸化水素に由来する酸素に対するバリア性を付与することは、非常に重要である。
【０００４】
しかし従来、毛髪化粧料用容器に着目して、このような技術的課題及びその解決手段を提案した発明は見受けられない。又、一般的に、例えばフッ素樹脂の使用は高い酸素バリア性を期待できるが、非常に高価であり、しかも他樹脂との接着性に乏しいため、実用的ではない。
【０００５】
そこで本発明は、酸素バリア性を必要とする毛髪化粧料を収容する容器において、空気中の酸素や過酸化水素に由来する酸素に対する十分なバリア性を示し、毛髪化粧料の保存安定性の良い毛髪化粧料用容器を提供することを、解決すべき課題とする。
【０００６】
【着眼点】
第１の着眼点
本願発明者は、他の技術分野においてこのような場合に往々にして使用されるＥＶＯＨ（エチレン・ビニルアルコール共重合体）に着目した。前記のフッ素樹脂とは異なり、ＥＶＯＨはコスト面及び特性面の要求をバランス良く満足させる材料である。
【０００７】
一般的な意味で、ＥＶＯＨ層を含む多層構造の容器壁を備える化粧料用容器を開示した公知文献は散見される。しかしこれらの文献の開示では、ＥＶＯＨ層が酸化染料や還元剤の酸化防止と言う毛髪化粧料用容器に特有な要求に対応できる酸素バリア性を示すか否かは不明であり、ＥＶＯＨ層が過酸化水素が溶存する水溶液に由来する酸素に対しても有効な酸素バリア性を示すか否かも全く不明であり、更に、如何なる材料構成上の特徴を持ったＥＶＯＨ層がこのような要求に対応し得るのかも不明である。
【０００８】
本願発明者は、これらの点を実験的に究明し、ＥＶＯＨが、とりわけ特定の材料構成上の特徴を備えたＥＶＯＨが、毛髪化粧料用容器の酸素バリア層として有効に機能することを、初めて明らかにした。
【０００９】
第２の着眼点
ところで、ＥＶＯＨは水の浸透を許し易く、そのことによって酸素バリア性が大きく低下すると言う問題も配慮する必要がある。従来、ＥＶＯＨを用いた酸素バリア層を設ける場合には、専ら水バリア層を付加して酸素バリア層を水から遮断しており、そのこと自体は一定の有効性を有するとしても、その他の技術的要素、例えばＥＶＯＨ自体のモノマー組成等の最適な選択は考慮されていない。
【００１０】
しかし、ＥＶＯＨは、そのモノマー組成におけるエチレン含有量の差異によって、各レベルの相対湿度における酸素透過度が複雑な挙動を示すことが実験的に判明した。そして、酸素バリア性を必要とする毛髪化粧料用容器が置かれる一般的な環境条件（湿度環境）において、エチレン含有量の比較的低いモノマー組成（例えばエチレンが３６モル％以下）であるＥＶＯＨからなる酸素バリア層が、非常に優れた酸素バリア性を示すことが判明した。
【００１１】
【課題を解決するための手段】
（第１発明の構成）
上記課題を解決するための本願第１発明の構成は、酸素バリア性を必要とする毛髪化粧料を収容する毛髪化粧料用容器であって、複層構造の容器壁における任意の中間層部位に、ＥＶＯＨ（エチレン・ビニルアルコール共重合体）を用いた１層又は２層以上の酸素バリア層を備える、毛髪化粧料用容器である。
【００１２】
（第１発明の作用・効果）
本願発明者の研究により、ＥＶＯＨを用いた酸素バリア層が、酸化染料や還元剤の酸化防止と言う毛髪化粧料用容器に特有な要求に対応できる酸素バリア性を示すこと、及び、過酸化水素が溶存する水溶液に由来する酸素に対しても有効な酸素バリア性を示すことが判明した。
【００１３】
第１発明の毛髪化粧料用容器はＥＶＯＨを用いた１層又は２層以上の酸素バリア層を備えるので、酸素バリア性を必要とする毛髪化粧料が有効に保護される。又、これらの酸素バリア層が複層構造の容器壁における任意の中間層部位に設けられるので、水の浸透による酸素バリア層のバリア性低下を招き難い。酸素バリア層を２層以上備える場合、その酸素バリア性が一層顕著になる。
【００１４】
以上の結果として、毛髪化粧料に含まれる酸化染料や還元剤の酸素との反応に基づく変色又は劣化や、毛髪化粧料に含まれる過酸化水素等の酸化剤の容器外への透過・揮散が有効に抑制される。その結果、容器に収容された毛髪化粧料の保存安定性が向上する。
【００１５】
（第２発明の構成）
上記課題を解決するための本願第２発明の構成は、前記第１発明に係るＥＶＯＨが、エチレン含有量が３６モル％以下であるモノマー組成である、毛髪化粧料用容器である。
【００１６】
（第２発明の作用・効果）
第２発明においては、モノマー組成におけるエチレン含有量が３６モル％以下と比較的低いＥＶＯＨを用いて毛髪化粧料用容器の酸素バリア層を構成するため、毛髪化粧料用容器が置かれる一般的な環境条件（湿度環境）において、酸素バリア層の酸素透過係数が可及的に小さい。
【００１７】
その結果、毛髪化粧料用容器が置かれる一般的な環境条件（湿度環境）において、酸化染料の変色、還元剤の劣化、酸化剤の容器外への透過・揮散等に対する防止効果が可及的に大きい。上記のようにエチレン含有量が比較的低いＥＶＯＨを採用することは、特段にコストアップもしくは技術的困難を伴なわない。
【００１８】
（第３発明の構成）
上記課題を解決するための本願第３発明の構成は、複層構造の容器壁における任意の中間層部位に、２０°Ｃにおける６０％の相対湿度での酸素透過係数が０．０１（ｃｃ・ｍｍ／ｍ２  ・ｄａｙ・ａｔｍ）以下であるＥＶＯＨを用いた１層又は２層以上の酸素バリア層を備える、毛髪化粧料用容器である。
【００１９】
（第３発明の作用・効果）
第３発明においては、２０°Ｃにおける６０％の相対湿度での酸素透過係数が上記のようであるＥＶＯＨを用いて毛髪化粧料用容器の酸素バリア層を構成するため、毛髪化粧料に含まれる酸化染料や還元剤の酸素との反応に基づく変色又は劣化や、毛髪化粧料に含まれる過酸化水素等の酸化剤の容器外への透過・揮散が有効に抑制される。上記のようなＥＶＯＨを用いた酸素バリア層を２層以上備える場合、その酸素バリア性が一層顕著になる。
【００２０】
（第４発明の構成）
上記課題を解決するための本願第４発明の構成は、前記第１発明〜第３発明に係る毛髪化粧料用容器が、以下（１）〜（３）のいずれか１以上の層部位にＣＯＣ（環状オレフィン系共重合体）を用いた水バリア層を備える、毛髪化粧料用容器である。
（１）前記１層又は２層以上の酸素バリア層の内側層。
（２）前記２層以上の酸素バリア層の中間層。
（３）前記１層又は２層以上の酸素バリア層の外側層。
【００２１】
（第４発明の作用・効果）
ＣＯＣを用いた水バリア層は水に対するバリア性が高いので、これをＥＶＯＨを用いた酸素バリア層の内側又は外側、あるいは２層以上の酸素バリア層の中間に設けることにより、酸素バリア層への水の浸透を防止して、結果的に毛髪化粧料用容器の酸素バリア性の低下を有効に防止できる。
【００２２】
（第５発明の構成）
上記課題を解決するための本願第５発明の構成は、前記第１発明〜第４発明に係る複層構造の容器壁が、ポリオレフィン系樹脂，ポリアクリロニトリル系樹脂又はポリエステル系樹脂を用いた最内層を備える、毛髪化粧料用容器である。第５発明において「ポリオレフィン系樹脂」とはＣＯＣ（環状オレフィン系共重合体）を含まない概念である。
【００２３】
（第５発明の作用・効果）
ポリオレフィン系樹脂，ポリアクリロニトリル系樹脂又はポリエステル系樹脂は、それぞれ一定の水バリア性を示すと共に、最内層材料として要求される耐薬品性も備える。従って、第５発明の毛髪化粧料用容器は、更に良好な酸素バリア性を示すと共に、毛髪化粧料用容器として一般的に要求される耐薬品性も確保することができる。
【００２４】
（第６発明の構成）
上記課題を解決するための本願第６発明の構成は、前記第１発明〜第５発明に係る複層構造の容器壁が、ポリオレフィン系樹脂，ポリアクリロニトリル系樹脂又はポリエステル系樹脂を用いた最外層を備える、毛髪化粧料用容器である。
【００２５】
（第６発明の作用・効果）
ポリオレフィン系樹脂，ポリアクリロニトリル系樹脂又はポリエステル系樹脂は、それぞれ一定の水バリア性を示すと共に、最外層材料として要求される印刷性，耐水性，表面処理性及び表面光沢性も備える。従って、第６発明の毛髪化粧料用容器は、更に良好な酸素バリア性を示すと共に、毛髪化粧料用容器として一般的に要求される印刷性，耐水性，表面処理性及び表面光沢性も確保することができる。
【００２６】
（第７発明の構成）
上記課題を解決するための本願第７発明の構成は、前記第１発明〜第６発明に係る酸素バリア性を必要とする毛髪化粧料が、酸化染毛剤の第１剤又は第２剤、毛髪脱色剤の第１剤又は第２剤、あるいはパーマネントウェーブ用剤の第１剤又は第２剤である、毛髪化粧料用容器である。
【００２７】
（第７発明の作用・効果）
酸素バリア性を必要とする毛髪化粧料としては、第７発明に列挙するものが特に好適である。
【００２８】
（第８発明の構成）
上記課題を解決するための本願第８発明の構成は、前記第１発明〜第７発明に係る毛髪化粧料用容器がエアゾール容器の内袋である、毛髪化粧料用容器である。
【００２９】
（第８発明の作用・効果）
第１発明〜第７発明に係る毛髪化粧料用容器の用途もしくは使用形態は限定されないが、例えばエアゾール容器の内袋として好適に使用できる。
【００３０】
【発明の実施の形態】
次に、第１発明〜第８発明の実施の形態について説明する。以下において単に「本発明」と言うときは第１発明〜第８発明を一括して指している。
【００３１】
〔酸素バリア層〕
本発明に係る毛髪化粧料用容器は酸素バリア性を必要とする毛髪化粧料を収容する毛髪化粧料用容器であって、複層構造の容器壁を備え、その容器壁における任意の中間層部位に、ＥＶＯＨを用いた１層又は２層以上の酸素バリア層を備える。即ち、酸素バリア層は最内層又は最外層以外の任意の中間層部位に設けることができ、かつ、１層又は２層以上に設けることができる。
【００３２】
基本的には、１層又は２層以上の酸素バリア層の内側に後述の水バリア層を設けることが好ましい。ＥＶＯＨを用いた酸素バリア層を２層以上に設ける場合において、これらの酸素バリア層に用いたＥＶＯＨは、モノマー組成その他の点において、互いに同一であっても良く、同一でなくても良い。
【００３３】
本発明において、より好ましくは、ＥＶＯＨは以下の第１の選択、及び／又は第２の選択に従って用いられる。ＥＶＯＨは、モノマーとしてエチレン成分とビニルアルコール成分とを共重合させたものであるが、第１の選択として、エチレン含有量が３６モル％以下であるモノマー組成のＥＶＯＨを用いる。より好ましくは、エチレン含有量が３２モル％以下、更に好ましくは２９モル％以下であるモノマー組成のＥＶＯＨを用いる。これらの低エチレン含有量のＥＶＯＨは、毛髪化粧料用容器が置かれる一般的な環境条件（例えば、平均的に２０°Ｃで６０％の相対湿度）における酸素透過係数がとりわけ小さい。なお、エチレン含有量が極端に少ない場合、例えば１モル％未満の場合には、ＥＶＯＨの成形性の点で好ましくない。
【００３４】
又、ＥＶＯＨは、そのモノマー組成に応じて特定の温度／湿度条件下における酸素透過係数が異なる値を示す。本発明においては、第２の選択として、２０°Ｃにおける６０％の相対湿度での酸素透過係数が０．０１（ｃｃ・ｍｍ／ｍ２  ・ｄａｙ・ａｔｍ）以下であるＥＶＯＨを用いる。
【００３５】
上記のようなＥＶＯＨを用いて構成される酸素バリア層の層厚は限定されないが、ピンホールの懸念をなくするには２５μｍ以上の膜厚が好ましく、４０μｍ以上の膜厚がとりわけ好ましい。ＥＶＯＨはある程度硬質の樹脂であるため、毛髪化粧料用容器がボトルタイプである場合には酸素バリア層の層厚の上限は余り気にする必要がないが、毛髪化粧料用容器が柔軟性を求められるチューブタイプである場合には、その層厚（酸素バリア層が２層以上の場合には、それらの合計層厚）を１５０μｍ程度以下とすることが、より好ましい。
【００３６】
〔水バリア層〕
本発明に係る毛髪化粧料用容器は、その複層構造の容器壁において、好ましくは更に１層又は２層以上のＣＯＣ（環状オレフィン系共重合体）を用いた水バリア層を備える。
【００３７】
環状オレフィン系共重合体としては公知のものを任意に利用でき、その種類は限定されないが、脂環族炭化水素化合物、より好ましくはエチレン系不飽和結合とビシクロ環とを有する脂環族炭化水素化合物から選択され、とりわけ好ましくはビシクロ〔２，２，１〕ヘプト−２−エン誘導体から適宜選択される。例えば、特開２００１−１５７７０５号公報において「ＣＯＣ」として開示されたいずれの化合物をも選択することができる。
【００３８】
水バリア層は、（１）１層又は２層以上の酸素バリア層の内側に設けることができる。即ち、酸素バリア層が１層である場合にはその内側に、酸素バリア層が２層以上である場合には最内側の酸素バリア層の内側に設けることができる。又、水バリア層は、（２）２層以上の酸素バリア層の任意の中間層部位に設けることもできる。更に水バリア層は、（３）１層又は２層以上の酸素バリア層の外側に設けることもできる。即ち、酸素バリア層が１層である場合にはその外側に、酸素バリア層が２層以上である場合には最外側の酸素バリア層の外側に設けることができる。水バリア層に関する以上の（１）〜（３）の実施形態の内の２以上の実施形態を同時に行うこともできる。
【００３９】
〔毛髪化粧料用容器の最内層及び最外層〕
本発明に係る毛髪化粧料用容器における複層構造の容器壁は、好ましくは、ポリオレフィン系樹脂，ポリアクリロニトリル系樹脂又はポリエステル系樹脂を用いた最内層を備える。又、本発明に係る毛髪化粧料用容器における複層構造の容器壁は、好ましくは、ポリオレフィン系樹脂，ポリアクリロニトリル系樹脂又はポリエステル系樹脂を用いた最外層を備える。最外層を構成するポリオレフィン系樹脂層は、表面処理のし易さ、印刷に対する適性、表面光沢の維持等の理由から、２層に構成されていても良い。
【００４０】
ポリオレフィン系樹脂の種類は限定されないが、高密度ポリエチレン（ＨＤＰＥ），中密度ポリエチレン（ＭＤＰＥ），低密度ポリエチレン（ＬＤＰＥ），直鎖状低密度ポリエチレン（ＬＬＤＰＥ），ポリプロピレン（ＰＰ），エチレン−プロピレン共重合体，エチレン−ブテン共重合体，エチレン−ヘキセン共重合体，エチレン−オクテン共重合体，エチレン−酢酸ビニル共重合体（ＥＶＡ），エチレン−メチルメタクリレート共重合体，アイオノマー樹脂等を任意に選択することができる。とりわけ、ＨＤＰＥ，ＭＤＰＥ，ＬＤＰＥ，ＬＬＤＰＥ，ＰＰが好ましい。
【００４１】
ポリアクリロニトリル系樹脂の種類は限定されないが、例えば三井東圧化学（株）社の商品名「バレックス（登録商標）」等を適宜に選択することができる。ポリエステル系樹脂の種類も限定されないが、例えばポリエチレンテレフタレート（ＰＥＴ），ポリエチレンナフタレート（ＰＥＮ），ポリブチレンテレフタレート（ＰＢＴ）等を適宜に選択することができる。
【００４２】
〔毛髪化粧料用容器の構成〕
以上の各種実施形態から、本発明に係る毛髪化粧料用容器における容器壁の層構成の好ましい幾つかの例を以下に列挙する。下記の層構成例では、左端が最内層、右端が最外層を示す。又、「ＥＶＯＨ」は本発明に係るＥＶＯＨのいずれかを示し、「ＰＯ」は上記いずれかのポリオレフィン系樹脂を、「ＣＯＣ」は上記いずれかのＣＯＣを、それぞれ示す。同一材料種の層が２層以上に構成された例においては、それらの同一材料種はモノマー組成や平均分子量等の点まで互いに同一であっても良く、これらの点では同一でなくても良い。
【００４３】
ａ）ＰＯ／ＥＶＯＨ／ＰＯ
ｂ）ＰＯ／ＣＯＣ／ＥＶＯＨ／ＰＯ
ｃ）ＰＯ／ＥＶＯＨ／ＣＯＣ／ＰＯ
ｄ）ＰＯ／ＣＯＣ／ＥＶＯＨ／ＣＯＣ／ＰＯ
ｅ）ＰＯ／ＣＯＣ／ＥＶＯＨ／ＣＯＣ／ＰＯ／ＰＯ
ｆ）ＰＯ／ＥＶＯＨ／ＰＯ／ＥＶＯＨ／ＰＯ
ｇ）ＰＯ／ＣＯＣ／ＥＶＯＨ／ＰＯ／ＥＶＯＨ／ＣＯＣ／ＰＯ
上記のように複層構造とされる各種の毛髪化粧料用容器において、各層間は層間接着させても良く、接着剤を用いて接着させても良い。接着剤を用いる場合、層間に接着剤層を設ける方法と、各層の構成材料に予め接着剤をブレンドしておく方法とがある。少なくとも酸素バリア層に関しては、バリア性が若干低下する懸念を避けるために、接着剤ブレンド法よりも層間に接着剤層を設ける方法が好ましい。
【００４４】
接着剤の種類は限定されないが、例えば変性ポリオレフィンを好ましく使用できる。変性ポリオレフィンとしては、例えば、不飽和カルボン酸，酸無水物，エステル又はアミド等で変性された、ＰＰ，ＨＤＰＥ，ＬＤＰＥ，ＬＬＤＰＥ，ＥＶＡ等を好ましく使用できる。
【００４５】
毛髪化粧料用容器の形状は、この種の化粧料用容器において公知である例えばスタンディングパウチ容器，パウチ容器，ボトル容器，チューブ容器，エアゾール容器の内袋等の任意の形状を自由に選択することができる。とりわけ、ボトル容器，チューブ容器又はエアゾール容器の内袋が好ましい。
【００４６】
〔毛髪化粧料用容器の用途〕
本発明に係る毛髪化粧料用容器の用途は限定されないが、好ましくは酸素バリア性を必要とする毛髪化粧料用の容器として用いられる。酸素バリア性を必要とする毛髪化粧料としては、酸化染毛剤の第１剤又は第２剤、毛髪脱色剤の第１剤又は第２剤、あるいはパーマネントウェーブ用剤の第１剤又は第２剤が代表的に例示される。その他にも、本発明に係る毛髪化粧料用容器は、シャンプー，リンス，コンディショナー，整髪剤，ヘアーリキッド，ヘアートニック，ヘアトリートメント，酸性染毛料，酸性染毛料用リムーバー，育毛剤等の容器としても利用することができる。
【００４７】
毛髪化粧料が、少なくとも酸化染料とアルカリ剤を含有する酸化染毛剤第１剤である場合、本発明に係る毛髪化粧料用容器によって容器外部からの酸素の透過・侵入を防止することができるため、酸化染料と酸素との反応を防止できる。従って、酸化染毛剤第１剤の保存安定性を向上させることができる。毛髪化粧料が、少なくとも還元剤とアルカリ剤を含有するパーマネントウェーブ用剤第１剤である場合にも、同様に、容器外部から透過・侵入した酸素と還元剤との反応による還元剤の劣化を防止できるため、パーマネントウェーブ用剤第１剤の保存安定性を向上させることができる。
【００４８】
毛髪化粧料が、少なくとも酸化剤を含有する酸化染毛剤第２剤である場合、本発明に係る毛髪化粧料用容器によって、酸化剤の容器外部への透過・揮散を防止して、酸化染毛剤第２剤の保存安定性を向上させることができる。毛髪化粧料が、少なくとも酸化剤を含有するパーマネントウェーブ用剤第２剤である場合にも、同様に、酸化剤の容器外部への透過・揮散を防止して、パーマネントウェーブ用剤第２剤の保存安定性を向上させることができる。
【００４９】
本発明に係る毛髪化粧料用容器に収容される毛髪化粧料の剤型は限定されない。例えば、ジェル状，ゲル状，クリーム状，ペースト状等の粘稠な剤型や、液体状の剤型とすることができる。
【００５０】
【実施例】
末尾の表１に示す実施例１〜実施例３及び比較例１に係る無着色の毛髪化粧料用容器を作製した。これらの容器は、いずれも同様のブロー成形方法により製造されたチューブ容器であって、容量はいずれも５０ｍＬ、容器壁の厚さはいずれも約４５０μｍである。
【００５１】
そしてこれらの容器は、表１の「材質構成」の欄に示すような単層又は複層構造を有する。即ち、比較例１はＬＤＰＥの単層からなる。例えば実施例３は、最内層がＬＤＰＥ層で、ＡＤ（接着剤）層を介してＥＶＯＨ層を設け、更にＡＤ層を介して最外層がＬＤＰＥ層である。各実施例に係るＥＶＯＨ層に用いたＥＶＯＨのエチレン含有量を、表１に示す。
【００５２】
各例に係る容器壁の層別の厚さ（μｍ単位）は、最内層側（表１の左端に表記した層側）より順に、次の数値の通りである。
実施例１：ＬＤＰＥ＝１２５／ＡＤ＝２０／ＣＯＣ＝４０／ＡＤ＝２０／ＥＶＯＨ＝４０／ＡＤ＝２０／ＣＯＣ＝４０／ＡＤ＝２０／ＬＤＰＥ＝１２５。
実施例２：層別の厚さは実施例１と同一である。
実施例３：ＬＤＰＥ＝１８５／ＡＤ＝２０／ＥＶＯＨ＝４０／ＡＤ＝２０／ＬＤＰＥ＝１８５。
比較例１：ＬＤＰＥ＝４５０。
【００５３】
なお、上記したＡＤ（接着剤）として、実際には三井石油化学工業（株）の商品名「アドマー（登録商標）」を用いている。この「アドマー」は、ポリオレフィンを官能基の導入によってグラフト反応させた接着性ポリオレフィンであり、熱反応によってガスバリア性樹脂等を強力に接着できる。
【００５４】
以上の各例に係る毛髪化粧料用容器に、それぞれ以下に示す同一組成の酸化染毛剤第１剤を充填し、蓋をして４５°Ｃの恒温槽にて３ケ月間保存した。
第１剤組成
パラフェニレンジアミン                        ２．０重量％
レゾルシン                                    １．０重量％
ポリオキシエチレン（１０）オレイルエーテル    ３．０重量％
セトステアリルアルコール                      ８．０重量％
流動パラフィン                                ２．０重量％
アンモニア水                                ｐＨ９とする量
精製水                                                残部。
【００５５】
上記した３ケ月間保存後の各例に係る毛髪化粧料用容器を開蓋して内容物たる毛髪化粧料を排出し、その毛髪化粧料の着色度合いを目視により評価した。この評価を通じて、毛髪化粧料の着色が著しい程、保存安定性が不良であると言う判断によって、毛髪化粧料用容器の酸素バリア性、ひいては毛髪化粧料の保存安定性を評価することができる。
【００５６】
その結果を表１の「評価」欄に示すが、同欄において、「◎」は「毛髪化粧料の着色が全く認められなかった」ことを示す。「○」は「毛髪化粧料の着色がほとんど認められなかった」ことを示す。「×」は「毛髪化粧料にかなりの着色が認められた」ことを示す。
【００５７】
【表１】
0005014541.tif 000002